(57)【要約】      （修正有）【課題】携帯スリッパを、小さく畳め、また長く愛用できるようにするために、スリッパを丈夫で洗濯でき、さらに、表裏反転させることでスリッパの外観を変えられる携帯用スリッパを提供する。【解決手段】ソールに硬い部材を一切使用せず、携帯用スリッパ全体を耐久性・耐摩耗性に優れ、洗濯できる柔軟な人工皮革、織布または不織布で作ることでスリッパを小さく畳め、同時に壊れにくく、洗濯しやすくし、長く愛用できるものとする。また柔らかいスリッパの甲部と底部の表面と裏面の色や柄を変えることで、スリッパを表裏反転させ外観を別のものに変えたり、スリッパが軽量で柔軟であることから通常のスリッパの中敷用履物として履くこともできる。【選択図】図２
0003195536.tif 000002
【実用新案登録請求の範囲】
【請求項１】
足裏を支持するスリッパ底部に硬いソール部材を使用せず、スリッパ全体すなわちスリッパ底部と、足甲を覆うスリッパ甲部に、耐久性・耐摩耗性に優れ、洗濯できる、柔軟な人工皮革、織布または不織布を用いた携帯用スリッパ
【請求項２】
前記スリッパにおいて甲部の表面と裏面、また底部の表面と裏面の色や柄を変えることで、スリッパを表裏反転させたときに異なる外観に変えられる携帯用スリッパ
【考案の詳細な説明】
【技術分野】
【０００１】  本考案は携帯できるスリッパに関するものである。
【背景技術】
【０００２】  携帯できるスリッパにおいては、スリッパ底部を長手方向に短くするために２つ折りにしたり、甲部を潰したりして、スリッパを小さく畳んでコンパクトにし、鞄などに入れて持ち運びやすくするというものがある。
【先行技術文献】
【特許文献】
【０００３】
【特許文献１】実用新案登録番号第３０１３５７９号
【特許文献２】実用新案登録番号第４４０９２４７号
【考案の概要】
【考案が解決しようとする課題】
【０００４】  従来の携帯用スリッパは、スリッパの甲部や底部に比較的軟らかい材料を用いているものの、スリッパの柔軟性がそれでもまだ不十分であるため折り曲げて畳んだときに部材が座屈し、何らかの型崩れを起こし、何度か折り畳むことによりスリッパの外観が悪化するという問題があった。加えて、スリッパが耐久性の乏しい材料や洗濯しづらい材料でできているため、何度か折り畳んだりすることで、スリッパがほころびてしまったり、スリッパが汚れたときに洗えないという問題があった。そのため携帯用スリッパは長持ちしない使い捨てという印象を受けることが多かった。
本考案は、スリッパを何度折り畳んでも、スリッパが型崩れしたり、ほころびてしまうことのない丈夫な携帯用スリッパ、また折り畳んだときにとても小さく畳むことができるコンパクトな携帯用スリッパ、さらにスリッパが汚れたときに何度でも洗濯でき、長期にわたって使用できる愛着の沸く携帯用スリッパを提供することを目的とする。
加えて、使用先で異なった２つの外観に切り替えて使用したり、既設のスリッパの中に履いて衛生的な中敷用履物として使用することもできる機能的な携帯用スリッパを提供することを目的とする。
【課題を解決するための手段】
【０００５】  本考案は、ソールに硬い部材を一切用いず、スリッパ全体すなわち足裏を支持するスリッパ底部と足甲を覆うスリッパ甲部に、耐久性・耐摩耗性に優れ、洗濯できる柔軟な人工皮革、織布または不織布を用いた携帯用スリッパと、これらスリッパの甲部の表面と裏面、また底部の表面と裏面の色や柄を変えることで、スリッパを表裏反転させたときに異なる外観に変えられるリバーシブル・スリッパである。
【考案の効果】
【０００６】  本考案のスリッパは、従来のスリッパのような硬質のソール部材を用いず、スリッパ全体を柔軟な材料で作っているため、折り畳んだり、丸めたりして、とてもコンパクトに鞄や収納袋などに入れて持ち運ぶことができる。また、折り畳んだり、広げたりといったことを繰り返しても、座屈の跡や折癖がつくこともない。さらに材料の耐久性や耐摩耗性が高いため、スリッパがほころびたりすることもなく、洗濯できる材料を用いているため、何度でも洗濯し汚れを落とすことができ綺麗な外観を保つことができる。
また本考案のスリッパが柔軟であり、表裏反転させられるため、スリッパの甲部の表面と裏面、また底部の表面と裏面の色や柄を変えることで、スリッパを表裏反転させたときに異なる外観に変え、一足で二通りのデザインを楽しむことができる。
加えて、本考案のスリッパは柔軟で軽量あるため、既存のスリッパの中に入れて中敷スリッパのようにして履くこともできる。これにより、ホテルなどで使われる通常のスリッパの中に本考案のスリッパを入れて履き、ホテルなどのスリッパ底部表面が足に直に触れることがないようにし、白癬菌の感染などを防止することもできる。
【図面の簡単な説明】
【０００７】
【図１】本考案の携帯用スリッパの斜視図である。
【図２】本考案の携帯用スリッパを丸めて畳んだ状態の斜視図である。
【図３】図１のスリッパを表裏反転させたときのスリッパの斜視図である。
【図４】図１のスリッパを通常スリッパの中敷用履物として使用している様子を示した図である。
【考案を実施するための形態】
【０００８】  本考案のスリッパは、耐久性・耐摩耗性が優れ、柔軟で洗濯できる人工皮革、織布または不織布でできた足裏を支持するスリッパ底部と同様の材料でできた足甲を覆うスリッパ甲部を備え、底部にはその表面または内部に硬質のソールを配置することがなく、スリッパ全体が極めて柔軟に作られている。
【実施例】
【０００９】  本考案の携帯用スリッパの実施例を次に説明する。図１に示すように耐久性・耐摩耗性が優れ、洗濯できる柔軟な人工皮革、織布または不織布でできた足裏を支持するスリッパ底部１と同様の材料でできた足甲を覆うスリッパ甲部２を備える。底部１と甲部２は縫製または接着により強固に連結されている。また、底部にはその表面または内部に硬質のソール部材を一切使用することがなく、スリッパ全体が極めて柔軟に作られている。ここで用いる人工皮革とはポリエステルとポリウレタンを原料としたものなどで、織布また不織布とはポリエステル繊維、ポリアミド繊維、ポリオレフィン繊維などで作られたものである。これらは強度・耐久性・耐摩耗性が優れ、洗濯できて柔軟な材料である。
そして、本考案の実施例は、甲部の表面と裏面、また底部の表面と裏面の色や柄を変えることで、図３のようにスリッパを表裏反転させたときに異なる外観に変えられるリバーシブル携帯用スリッパとなっている。
甲部と底部のそれぞれの表面と裏面の色や柄を変えるために、表面と裏面にそれぞれ異なる色や柄を塗装したり、プリントしたり、刺繍を加えたりすることができる。また、異なる色や柄の面を持つ２枚のシート材をそれらの面が表面と裏面に表れるように重ね合わせ縫製または接着し一枚のシート材として用いることもできる。
また、実施例の携帯用スリッパは柔軟であるため、図２のように様々な形態に畳んだり、丸めたり、潰したりしてコンパクトに鞄や収納袋などに収めることができる。
さらに、実施例の携帯用スリッパは図４のように通常のスリッパの中に重ねて履き中敷用履物として利用することもできるのである。
【符号の説明】
【００１０】  １  スリッパ底部
２  スリッパ甲部
３  通常のスリッパの中敷履物として用いている本考案の携帯用スリッパ
４  通常のスリッパ
【図１】
0003195536.tif 000003
【図２】
0003195536.tif 000004
【図３】
0003195536.tif 000005
【図４】
0003195536.tif 000006
【手続補正書】
【提出日】平成26年11月7日(2014.11.7)
【手続補正１】
【補正対象書類名】実用新案登録請求の範囲
【補正対象項目名】請求項２
【補正方法】変更
【補正の内容】
【請求項２】
甲部の表面と裏面、また底部の表面と裏面の色や柄を変えることで、スリッパを表裏反転させたときに異なる外観に変えられる請求項１に記載の携帯用スリッパ